(57)【要約】      （修正有）【課題】一種の自動警報装置を提供し、即時に警報告知の効果で適時に注意を引く。【解決手段】新型自動警報装置２は子機２１と親機２２を含め、当該子機は持続的にまたは間隔を置いて特定の振動周波数の信号コードを外部へ発射することができる。当該親機は電源供給器２２１及び電源供給器と接続する受信装置２２２、照合装置２２３と警報装置２２４を含めている。子機が携行品や人に装着される際、子機が持続や間隔の信号を自動に発射することを利用する。発射された信号は受信装置に受信され、そして、受信された信号は照合装置によって解読されて判別される。受信された信号が一定の時間において間違ったままや、信号が弱くなって消える現象が起これば、親機の警報装置は直ちに起動されて警報を発信する。これにより、自動に警報を発信する効果を実現する。【選択図】図２
0003133034.tif 000002
【実用新案登録請求の範囲】
【請求項１】
子機及び親機を含み、
子機は電源供給器及び、電源供給器をそれぞれに連結するアドレスエンコーダと無線キャリアを含め、その中、当該電源供給器はアドレスエンコーダと無線キャリアの使用電力を提供し、アドレスエンコーダは無線キャリアと互いに連結しているため、アドレスエンコーダは無線キャリアに対して信号を発信することができ、また、無線キャリアは信号周波数を変える発振器及び発信装置を含め、この発信装置は発振器と連結して発振器が生成する特定の振動周波数信号を持続に発信、
親機は電源供給器及び電源供給器と連結する受信装置、照合装置と警報装置を含め、その中、当該照合装置は受信装置と連結するデコーダと、デコーダと連結する処理ユニット、そして、処理ユニットと連結してペアとなる子機の信号コードを保存するメモリーを含め、前述のデコーダは子機の発信信号を受信し、それをデコーダと処理ユニットで照合し、また、当該処理ユニットは警報装置と連結しているため、照合装置が一定の時間を越えても受信装置の信号を受信し続けないと、照合装置は警報装置を起動させて警告効果を働くことを特徴とする自動警報装置。
【請求項２】
当該メモリーに受信器が連結されており、ペアの子機の発信装置が発信した信号を受信し、それをメモリーに保存することができ、これにより後の信号との照合し合う基準とすることができることを特徴とする請求項１記載の自動警報装置。
【請求項３】
当該アドレスエンコーダに制御セットが接続されており、アドレスエンコーダの間隔起動を制御し、これにより、発信装置を間隔に発信させることを特徴とする請求項２記載の自動警報装置。
【考案の詳細な説明】
【技術分野】
【０００１】
本考案は一種の警報装置の設計に関するものであり、特に一種の自動警報装置を指している。
【背景技術】
【０００２】
図１は周知の警報装置１であり、親機１１及び子機１２を含めている。その中、当該親機１１は電源スイッチ１１１、発信装置１１２、受信装置１１３及び受信装置１１３と連動する警報装置１１４を含めている。当該発信装置１１２は発信装置１１２を制御する押しボタンスイッチ１１２ａを持っている。また、当該子機１２は電源スイッチ１２１、発信装置１２２、受信装置１２３及び受信装置１２３と連動する警報装置１２４を含めている。この発信装置１２２は発信装置１２２を制御する押しボタンスイッチ１２２ａを持っている。使用する際、親機１１や子機１２のいずれが互いにいなくなる事に気がついたら、発信の押しボタンスイッチ１１２ａ、１２２ａを押して相手の受信装置１１３、１２３へ信号を発信することにより、相手の警報装置１１４、１２４を起動させる。このとおりに、持続的に信号を発信することにより、相手の警報装置１１４、１２４を音を鳴らし、相手の正確な位置を見つける。
【０００３】
しかし、以上の警報装置を実際に使用してみると、まだ改良すべきの点があることが分かった。その詳細は以下のとおりである、
１. 周知の警報装置１１４、１２４は手に持つ親機１１や子機１２のいずれは相手がなくなった場合しか、信号を発信するように押しボタンスイッチ１１２ａ、１２２ａを押してはならないため、もし双方は相手がなくなったことに気づいていないと、その警報装置１１４はまったく効果が発揮できない。そのため、人間が親機と子機が人間によって携帯される場合では、相手がなくなった後、押しボタンスイッチを押して相手を探すことはできる。しかし、いずれの方は物である場合は、押しボタンスイッチを押すことができないので、使用には不便がある。
２. 以上の他にも、この警報装置１１４、１２４の信号発射には一定の距離がある。相手がいなくなるのを意識しないうちに、親機１１と子機１２は離れ離れになってしまうことがある。それで、親機１１と子機１２は距離を離れすぎて発信された信号が相手に届かなくなる。こんな状況になれば、親機１１と子機１２で相手を探すことはできない。そのため、使用には不備がある。
【考案の開示】
【考案が解決しようとする課題】
【０００４】
以上に鑑み、本考案の目的は、一種の自動警報装置を提供し、即時に警報告知の効果で適時に注意を引くことにある。
【０００５】
故に、本考案の警報装置は、子機と親機を含めている。その中、当該子機は電源供給器、そして、電源供給器と連結するアドレスエンコーダと無線キャリアを含めている。前述の無線キャリアとアドレスエンコーダは互いに連結しており、そして信号コードを転換して特定の振動周波数を生成し、持続的に外部へ発信する。親機のほうについては、電源供給器、及び電源供給器とそれぞれに連結する受信装置、照合装置と警報装置を含めている。子機が携行品や人に装着される際に、子機が自動的に発射する持続や間隔の信号が受信装置によって受信され、受信された信号はまた照合装置によって解読されて判別される。受信された信号が一定の時間において間違ったまま、または信号がどんどん弱くなる現象がおきれば、親機の警報装置は直ちに起動されて警報を発信する。これにより自動の警報効果を実現する。
【課題を解決するための手段】
【０００６】
請求項１の考案は、子機及び親機を含み、
子機は電源供給器及び、電源供給器をそれぞれに連結するアドレスエンコーダと無線キャリアを含め、その中、当該電源供給器はアドレスエンコーダと無線キャリアの使用電力を提供し、アドレスエンコーダは無線キャリアと互いに連結しているため、アドレスエンコーダは無線キャリアに対して信号を発信することができ、また、無線キャリアは信号周波数を変える発振器及び発信装置を含め、この発信装置は発振器と連結して発振器が生成する特定の振動周波数信号を持続に発信、
親機は電源供給器及び電源供給器と連結する受信装置、照合装置と警報装置を含め、その中、当該照合装置は受信装置と連結するデコーダと、デコーダと連結する処理ユニット、そして、処理ユニットと連結してペアとなる子機の信号コードを保存するメモリーを含め、前述のデコーダは子機の発信信号を受信し、それをデコーダと処理ユニットで照合し、また、当該処理ユニットは警報装置と連結しているため、照合装置が一定の時間を越えても受信装置の信号を受信し続けないと、照合装置は警報装置を起動させて警告効果を働くことを特徴とする自動警報装置としている。
請求項２の考案は、当該メモリーに受信器が連結されており、ペアの子機の発信装置が発信した信号を受信し、それをメモリーに保存することができ、これにより後の信号との照合し合う基準とすることができることを特徴とする請求項１記載の自動警報装置としている。
請求項３の考案は、当該アドレスエンコーダに制御セットが接続されており、アドレスエンコーダの間隔起動を制御し、これにより、発信装置を間隔に発信させることを特徴とする請求項２記載の自動警報装置としている。
【考案の効果】
【０００７】
本考案と周知のものとを比較すると、本考案は確かに以下の長所と効果を持っていることが分かる。
１. 子機のアドレスエンコーダで信号コードを伝送してから、ペアとなる親機によって受信される。受信された信号を親機の照合装置で解読して照合と確認で判別するので、ペアでない子機からの信号は解読の測定に通過できないので、正確な照合ができる。そのため、親機は外部電波やノイズに影響されずに正しく使用できる。
２. この自動警報装置は子機が親機に対して信号を自動に持続発信や間隔発信することを利用しているため、親機は子機の信号受信範囲内において子機と互いに連絡し合うことができる。もし子機が受信範囲を離れることがあれば、親機の照合装置は受信できなくなるため、自動に警報装置を連動させる。この働きは親機の使用者に気づかせることができるので、貴重な携行品(コンピューター、ブリーフケースのようなもの)や同行の子供に装着することにより、警報による注意で、忘れることや、いなくなることや、または他人に取られることからの損失を避けることができる。
３. この警報装置は自動警報の形になっているため、物や人に限らずに使用できる。使用範囲の増設もできるし、電源が投入されると、この自動警報装置は十分の信号が受信できる状態であれば、音を鳴らずに正常に使用できる。使用者はこの自動警報装置に対して何の操作、押し作業もしなくてよいので、操作は大変便利である。
【０００８】
本考案はペアになっている子機、親機のそれぞれを物(または人)と使用者に装着することにより、子機の持続発射と親機の持続受信で携行品(または同行の人)が遠く離れていないことが確認できる。忘れることや他人に取られることなどがあれば、直ちに警報で知ることができるので、紛失を避ける効果があり、本考案の目的を確実に実現することができる。
【考案を実施するための最良の形態】
【０００９】
本考案を詳しく説明する前に、注意すべきのは、以下の説明において、類似した装置は同様の番号で表されている。
【００１０】
図２は、本考案の自動警報装置２に関する一つの好ましい実施例である。ここでは、子機２１及び親機２２が含まれている。ここの子機２１は電源供給器２１１、及び電源供給器２１１とそれぞれに連結するアドレスエンコーダ２１２と無線キャリア２１３を含めている。前述の電源供給器２１１はアドレスエンコーダ２１２と無線キャリア２１３の使用電力を提供している。また、当該アドレスエンコーダ２１２は親機２２とマッチングする信号コードを生成する。この信号コードは工場から出荷される際に予めマッチングされて親機２２に保存されていたため、信号コードが出力時において親機２２によって受信されて識別することができる。また、アドレスエンコーダ２１２は無線キャリア２１３に対して信号コードを生成して与える。この無線キャリア２１３には信号周波数を変える発振器２１４と、発振器２１４と連結する信号を発信する発信器２１５を持っている。そのため、前述の信号コードは発振器２１４で振動されて特定の振動周波数が生成され、そして、発信器２１５を介して外へ発射される。
【００１１】
また、当該親機２２は電源供給器２２１及び電源供給器２２１と連結す受信装置２２２、照合装置２２３と警報装置２２４を含めている。その中、当該受信装置２２２は照合装置２２３の片端と互いに連結しており、しかも、持続的に子機２１が発射した信号を受信して照合信号２２３へ送信する。照合装置２２３は受信装置２２２と連結しているデコーダ２２５、デコーダ２２５と連結する処理ユニット２２６及び、処理ユニット２２６と連結してペアの子機２１の信号コードを保存するメモリー２２７を持っている。前述のデコーダ２２５は子機２１が発射する信号を受信し、デコーダ２２５を介して処理ユニット２２６と照合する。また、処理ユニット２２６の他端は警報装置２２４と連結している。
【００１２】
使用する時はまず、ペアとなっている子機２１と親機２２のそれぞれの電源供給器２１１、２２１をONにしてから、子機２１を携行品や人(当実施例ではノートパソコンを例にしているが、図示には示されていない)に装着し、親機２２を使用者に装着してからすぐ使用し始められる。子機２１のアドレスエンコーダ２１２がコーディングを開始し、コーディング完了後の信号は発振器２１４で信号を特定の振動周波数に転換し、そして、発信器２１５から外へ出力する。これは、当実施例が示す一秒当たりに二つのパルスで信号が伝送されるとおりである。この時に、親機２２の受信装置２２２は持続的に信号を受信し始める。この信号もまた、デコーダ２２５によって解読されて処理ユニット２２６へ伝送され、照合される。即ち、処理ユニット２２６は解読後の信号を、メモリー２２７に保存されている信号コードと照合して判別する。受信された信号が正確且つ持続であれば、この照合装置２２３の処理ユニット２２６は何の起動信号も発信しない。逆に、子機、親機２１、２２の距離が範囲を超えて信号が弱くなってしまう場合、照合装置２２３の処理ユニット２２６は直ちに起動信号を発信して警報装置２２４を起動させ、警報を発信する。これにより、使用者に注意を呼び掛け、ノートパソコンなどの携行品が忘れられたり、取られたりすることに注がせ、携行品の紛失による損失を避けることができる。
【００１３】
図３は本考案の自動警報装置２に関するもう一つの好ましい実施例である。ここでも、子機２１と親機２２が含まれている。子機、親機２１、２２の構造と効果は前の実施例と全く同様であるので、ここでは繰り返さない。特に触れなければならないのは、当該実施例の照合装置２２３には別の受信装置２２８が連結しており、ペアの子機が発射する信号を受信して照合装置２２３のメモリー２２７に保存し、後の子機２１の信号の判別基準とすることができる。そのため、違うペアの子機、親機２１、２２でもこのとおりに互いに組み合わせて使用できる。また、アドレスエンコーダ２１２には制御セット２１６が設けられている。この制御セット２１６はアドレスエンコーダ２１２を間隔に起動させるようにコントロールし、間隔を置いて発信器２１５を信号を発信させる。そのため、電源供給器２１１、２２１の消費電力を大幅に低減させて子機、親機２１、２２の使用寿命を延長することができる。
【図面の簡単な説明】
【００１４】
【図１】周知の自動警報装置の接続関係図である。
【図２】本考案の自動警報装置に関する好ましい実施例のブロック図である。
【図３】本考案の自動警報装置に関するまた一つの好ましい実施例のブロック図である。
【符号の説明】
【００１５】
２  自動警報装置
２１  子機
２２  親機
２１１  電源供給器
２１２  アドレスエンコーダ
２１３  無線キャリア
２１４  発振器
２１５  発信器
２１６  制御セット
２２１  電源供給器
２２２  受信装置
２２３  照合装置
２２４  警報装置
２２５  デコーダ
２２６  処理ユニット
２２７  メモリー  
２２８  受信装置
【図１】
0003133034.tif 000003
【図２】
0003133034.tif 000004
【図３】
0003133034.tif 000005